(57)【要約】【課題】無線で接続される端末装置での操作で印刷が可能なラベルプリンタであって、端末装置での操作が容易で、かつ、意図しない情報の印刷を防ぐことができるラベルプリンタを提供する。【解決手段】ラベルプリンタ１は、ラベルに印刷をする印刷ヘッド２０と、無線で端末装置と接続される通信部２６と、端末装置に割り当てられた固有の識別情報とラベルに印刷される情報が設定された選択条件が対応付けられた登録情報を記憶する記憶部１０１と、端末装置から識別情報を受信すると、識別情報に対応した登録情報に基づく選択条件により印刷を行う制御部１００とを備える。【選択図】図１
2020062754.tif 000002
【特許請求の範囲】
【請求項１】
ラベルに印刷をする印刷部と、
無線で端末装置と接続される通信部と、
ラベルに印刷される情報を設定する選択条件が選択される入力部と、
前記端末装置に割り当てられた固有の識別情報と前記入力部で選択された前記選択条件を対応付けて記憶する記憶部と、
前記端末装置から前記識別情報を受信すると、前記識別情報に対応した前記選択条件により前記印刷部で印刷を行う制御部と
を備えたラベルプリンタ。
【請求項２】
前記制御部は、前記端末装置の設定に関する登録モードが実行され、前記端末装置の設定に関する登録モードの実行中に、前記端末装置から前記識別情報を受信すると、前記識別情報と前記選択条件を対応付けて前記記憶部に記憶する
請求項１に記載のラベルプリンタ。
【請求項３】
前記端末装置から受信した前記識別情報及び前記入力部で選択された前記選択条件が表示される表示部を更に備え、
前記制御部は、前記端末装置の設定に関する登録モードの実行中に、前記端末装置から前記識別情報を受信すると、前記端末装置から受信した前記識別情報、及び前記識別情報に対応付けられて前記記憶部に記憶された前記選択条件を前記表示部で表示する
請求項２に記載のラベルプリンタ。
【請求項４】
前記制御部は、前記端末装置の設定に関する登録モードの実行中に、前記端末装置から前記識別情報を受信すると、前記識別情報と前記選択条件が対応付けられた登録情報を前記記憶部に記憶する
請求項２に記載のラベルプリンタ。
【請求項５】
前記端末装置から受信した前記識別情報及び前記入力部で選択された前記選択条件が表示される表示部を更に備え、
前記制御部は、前記端末装置の設定に関する登録モードの実行中に、前記端末装置から前記識別情報を受信すると、前記端末装置から受信した前記識別情報、及び前記識別情報と対応付けられて前記記憶部に記憶された前記登録情報の前記選択条件を前記表示部で表示する
請求項４に記載のラベルプリンタ。
【請求項６】
前記選択条件は特定されたラベルのレイアウト及びラベルの印刷枚数である
請求項１〜請求項５の何れか１項に記載のラベルプリンタ。
【発明の詳細な説明】
【技術分野】
【０００１】
本発明は、商品名、原材料名、消費期限、賞味期限等の情報をラベルに印刷するラベルプリンタに関する。
【背景技術】
【０００２】
ラベルプリンタは、例えば、物品を使用する期限等の情報をラベルに印刷して期限ラベルを発行する用途で用いられる。
【０００３】
ラベルプリンタ等の印刷装置として、相互認識無線通信により操作端末と情報送受信可能に接続される印刷装置が提案されている（例えば、特許文献１参照）。特許文献１に記載の印刷装置は、ある１つの操作端末のみと排他的な接続が確立され、当該操作端末から印刷データが取得される。そして、その印刷データに応じて、被印刷用紙への印刷処理が行われる。
【０００４】
また、無線インターフェースを介して無線端末のユーザより、印刷に必要な情報である入力事項を受け付け、受け付けた入力事項の各々を、プリンタに予め登録された印刷フォームデータ上の所定位置に配置することで得られる画像を生成し、これを印刷するようにしたプリンタが提案されている（例えば、特許文献２参照）。
【先行技術文献】
【特許文献】
【０００５】
【特許文献１】特開２０１７−１７７３７０号公報
【特許文献２】特開２００２−３５８１８６号公報
【発明の概要】
【発明が解決しようとする課題】
【０００６】
従来、無線で接続可能な端末装置と印刷装置を備えた構成では、端末装置より、印刷の実行命令と、画像データや文字データ等の可変情報を印刷装置で受けて、印刷装置で可変情報を展開して印刷が行われる。
【０００７】
これにより、従来は、印刷装置で印刷する情報を、印刷の都度端末装置で入力したり、印刷する情報を端末装置で選択する必要があり、操作に時間が掛かる。また、間違った入力や操作によって意図しない情報が印刷される可能性がある。
【０００８】
本発明は、このような課題を解決するためになされたもので、無線で接続される端末装置での操作で印刷が可能なラベルプリンタであって、印刷しようとするときに端末装置で画像データや文字情報を扱わないため入力操作が容易で、かつ、端末装置側から画像データや文字情報の可変情報を送信しないことで、意図しない情報の印刷を防ぐことができるラベルプリンタを提供することを目的とする。
【課題を解決するための手段】
【０００９】
上述した課題を解決するため、本発明は、ラベルに印刷をする印刷部と、無線で端末装置と接続される通信部と、ラベルに印刷される情報を設定する選択条件が選択される入力部と、端末装置に割り当てられた固有の識別情報と入力部で選択された選択条件を対応付けて記憶する記憶部と、端末装置から識別情報を受信すると、識別情報に対応した選択条件により印刷部で印刷を行う制御部とを備えたラベルプリンタである。
【００１０】
本発明では、端末装置の操作により端末装置から固有の識別情報が出力され、ラベルプリンタが端末装置から識別情報を受信すると、識別情報に対応した選択条件によりラベルが印刷される。
【発明の効果】
【００１１】
本発明によれば、端末装置から画像データや文字データ等の可変情報を送信せず、端末装置から識別情報を受信することを印刷の実行命令とし、ラベルプリンタで記憶している選択条件によりラベルを印刷することができる。これにより、端末装置はラベル印刷データを持たず、ラベルプリンタで印刷する情報を端末装置で入力したり、印刷する情報を端末装置で選択する必要がなく、端末装置での操作が容易である。また、端末装置からの間違った入力や操作によって意図しない情報が送信されて、ラベルプリンタで印刷される可能性を排除することができる。
【図面の簡単な説明】
【００１２】
【図１】本実施の形態のラベルプリンタの一例を示す機能構成図である。
【図２】本実施の形態のラベルプリンタの一例を示す構成図である。
【図３】本実施の形態のラベルプリンタの一例を示す外観斜視図である。
【図４】本実施の形態の端末装置の一例を示す機能構成図である。
【図５】本実施の形態の端末装置の一例を示す外観斜視図である。
【図６Ａ】本実施の形態のラベルプリンタの記憶部の一例を示すテーブルである。
【図６Ｂ】本実施の形態のラベルプリンタの記憶部の一例を示すテーブルである。
【図７】端末装置を使用したラベル発行処理の一例を示すフローチャートである。
【図８】発行されるラベルの一例を示す説明図である。
【図９】ラベルを発行可能とする端末装置をラベルプリンタに登録する登録処理の一例を示すフローチャートである。
【図１０Ａ】登録操作画面の一例を示す説明図である。
【図１０Ｂ】登録操作画面の一例を示す説明図である。
【図１０Ｃ】登録操作画面の一例を示す説明図である。
【図１０Ｄ】登録操作画面の一例を示す説明図である。
【図１１】ラベルを発行可能とした端末装置の登録内容を変更する登録内容変更処理の一例を示すフローチャートである。
【図１２Ａ】登録内容変更操作画面の一例を示す説明図である。
【図１２Ｂ】登録内容変更操作画面の一例を示す説明図である。
【図１２Ｃ】登録内容変更操作画面の一例を示す説明図である。
【図１２Ｄ】登録内容変更操作画面の一例を示す説明図である。
【図１２Ｅ】登録内容変更操作画面の一例を示す説明図である。
【図１２Ｆ】登録内容変更操作画面の一例を示す説明図である。
【図１３】本実施の形態の端末装置の他の例を示す構成図である。
【発明を実施するための形態】
【００１３】
以下、図面を参照して、本発明のラベルプリンタの実施の形態について説明する。
【００１４】
＜本実施の形態のラベルプリンタの構成例＞
図１は、本実施の形態のラベルプリンタの一例を示す機能構成図、図２は、本実施の形態のラベルプリンタの一例を示す構成図、図３は、本実施の形態のラベルプリンタの一例を示す外観斜視図である。また、図４は、本実施の形態の端末装置の一例を示す機能構成図、図５は、本実施の形態の端末装置の一例を示す外観斜視図である。
【００１５】
ラベルプリンタ１は、図２に示すように、ラベル１０等が貼着された長尺状の台紙１１が巻かれた形態で提供される台紙付きラベル１２が装填される。ラベルプリンタ１は、台紙付きラベル１２に貼着されたラベル１０に印刷を行う印刷ヘッド２０と、印刷ヘッド２０に対向して設けられ、台紙付きラベル１２を搬送するプラテンローラ２１と、プラテンローラ２１を駆動する搬送モータ２１Ｍを備える。また、ラベルプリンタ１は、ラベルの有無、及び、ラベルの先端位置等を検知するラベルセンサ２２と、台紙１１の裏面に印刷されたラベル識別情報を読み取る読取部２３を備える。
【００１６】
印刷ヘッド２０は印刷部の一例で、本例ではサーマルヘッドで構成される。プラテンローラ２１と搬送モータ２１Ｍは搬送部の一例で、台紙付きラベル１２を搬送する。ラベルセンサ２２はラベル検知部の一例で、ラベル１０の先端が所定の位置まで搬送されたことを検知する。ラベルセンサ２２は、例えば発光素子と受光素子とからなるセンサ（透過型センサ）で構成される。読取部２３は、例えば発光素子と受光素子とからなるセンサ（反射型センサ）で構成される。
【００１７】
ラベルプリンタ１は、ラベル１０に物品名、消費期限または賞味期限等の期限情報、符号化情報等を使用期限情報として印刷する制御部１００を備える。また、ラベルプリンタ１は、ラベル１０に印刷される項目及び項目の内容が設定されたラベル印刷データ、端末装置３０の登録情報等が記憶される記憶部１０１を備える。
【００１８】
ラベル印刷データは、パーソナルコンピュータ等の図示しない情報処理装置で、所定のラベル作成アプリケーションを実行して作成される。情報処理装置で作成されたラベル印刷データは、本例では外部メモリ等で提供される。
【００１９】
また、ラベルプリンタ１は、ラベル１０に使用期限情報等が印刷される期限ラベルを発行する操作、端末装置３０を登録する操作、端末装置３０に対する登録内容を変更する操作等を受ける入力部２４を備える。さらに、ラベルプリンタ１は、期限ラベルを発行する操作画面、端末装置３０を登録する登録操作画面、端末装置３０に対する登録内容を変更する登録内容変更操作画面等が表示される表示部２５を備える。また、ラベルプリンタ１は、端末装置３０と接続される通信部２６を備える。さらに、ラベルプリンタ１は、年月日及び時刻を特定する日時情報を生成する時計部２７を備える。
【００２０】
入力部２４は、文字や数字の入力、及び情報の選択や決定等が行える例えばボタン型のキーボード等の入力装置で構成される。表示部２５は、ディスプレイ等の表示装置で構成される。なお、入力部２４と表示部２５はタッチパネル式のディスプレイで実現されても良い。通信部２６は、ＢＬＵＥＴＯＯＴＨ(登録商標)、無線ＬＡＮ、赤外線等の既存の無線通信技術等を利用して端末装置３０と接続し、端末装置３０との間で情報の入出力を行う。時計部２７は、日時情報として年月日、時刻が設定され、計時動作が実行される。
【００２１】
制御部１００は、ＣＰＵ、ＭＰＵと称されるマイクロプロセッサ等を備える。記憶部１０１は、ＲＡＭ、フラッシュメモリ等の記憶装置で構成される。
【００２２】
次に、端末装置３０の構成について説明する。端末装置３０は、固有の識別情報ＵＩＤを出力する操作等を受ける入力部３１を備える。また、端末装置３０は、ラベルプリンタ１と接続される通信部３２を備える。さらに、端末装置３０は、入力部３１の操作で識別情報ＵＩＤを出力する制御部３３を備える。
【００２３】
入力部３１は、ボタン型のスイッチで構成される。通信部３２は、ラベルプリンタ１と同様に、ＢＬＵＥＴＯＯＴＨ(登録商標)、無線ＬＡＮ、赤外線等の既存の無線通信技術等を利用してラベルプリンタ１と接続し、ラベルプリンタ１に対して情報の出力を行う。
【００２４】
制御部３３は、ＣＰＵ、ＭＰＵと称されるマイクロプロセッサ等を備える。端末装置３０は、制御部３３に識別情報ＵＩＤを記憶する構成でも良いし、識別情報ＵＩＤを記憶するＲＡＭ、フラッシュメモリ等の記憶装置を別に備えても良い。
【００２５】
図６Ａ，図６Ｂは、本実施の形態のラベルプリンタの記憶部の一例を示すテーブルである。ラベルプリンタ１の記憶部１０１は、時計部２７で取得される現在日時に対して、ラベル１０に印刷される期限情報を算出するため加算される加算値情報Ｄ１が、ラベルを発行可能な物品に対応して記憶される。現在日時に加算する加算値情報Ｄ１の加算値は、図６Ａに示すように、日、時、分、または所定時刻迄等で設定される。
【００２６】
また、ラベルプリンタ１の記憶部１０１は、端末装置３０の識別情報ＵＩＤと、印刷データが対応付けられた登録情報Ｄ２が記憶される。登録情報Ｄ２は、ラベル印刷データを特定するレイアウト名、当該レイアウトで印刷すべく設定された枚数等の選択条件が、識別情報ＵＩＤと対応付けて記憶される。なお、本例では、レイアウト名を物品名で特定しているが、これに限らず、要冷蔵、長期保存といった保存形態等でレイアウト名を特定しても良い。
【００２７】
＜本実施の形態のラベルプリンタの動作例＞
図７は、端末装置を使用したラベル発行処理の一例を示すフローチャートで、次に、端末装置３０でラベルを発行する動作について説明する。
【００２８】
端末装置３０を所持するラベルプリンタ１の使用者は、図７のステップＳＡ１で、期限ラベルを発行するため、端末装置３０の入力部３１を操作する。本例では、入力部３１は、ボタン型のスイッチで構成されており、入力部３１の操作はボタンを押すことで実行される。
【００２９】
端末装置３０の制御部３３は、入力部３１が操作されると、ステップＳＡ２で識別情報ＵＩＤを通信部３２で出力する。
【００３０】
ラベルプリンタ１の制御部１００は、通信部２６が端末装置３０の通信部３２と通信可能な状態で、端末装置３０から識別情報ＵＩＤが出力されると、ステップＳＡ３で識別情報ＵＩＤを通信部２６で受信する。
【００３１】
制御部１００は、識別情報ＵＩＤを受信すると、ステップＳＡ４で、記憶部１０１の登録情報Ｄ２に基づき、識別情報ＵＩＤと対応付けられたレイアウト名で特定されるラベル印刷データを取得する。制御部１００は、ステップＳＡ５で、物品の期限情報を算出するため現在日時に加算される加算値を記憶部１０１の加算値情報Ｄ１から取得し、ステップＳＡ６で、時計部２７で取得される現在日時に対して加算値を加算し期限情報を算出する。
【００３２】
制御部１００は、ステップＳＡ７で、登録情報Ｄ２で設定された枚数のラベルに物品名、消費期限または賞味期限等の期限情報等を使用期限情報として印刷する。なお、識別情報ＵＩＤを受信すると、ラベルの印刷前またはラベルの印刷中等の印刷時に、識別情報ＵＩＤと、識別情報ＵＩＤに対応付けられたレイアウト名で特定される物品名、印刷枚数等の選択条件を表示部２５に表示しても良い。これにより、ラベルプリンタ１の近くに居ない使用者が、端末装置３０の操作でラベルを発行できると共に、ラベルプリンタ１の近くに別の人がいた場合、ラベルプリンタ１が作動した状況を認識できる。
【００３３】
図８は、発行されるラベルの一例を示す説明図である。図７のステップＳＡ３で、識別情報ＵＩＤとして「Ａ００１」を受信した場合、制御部１００は、図６Ｂに示す登録情報Ｄ２から、レイアウト名が「ケーキ」、印刷枚数が「２」であると判断する。また、図６Ａに示す加算値情報Ｄ１から、現在日時に加算される加算値が「０」であると判断する。
【００３４】
これにより、制御部１００は、図８に示すように、物品名１３ａ、消費期限または賞味期限等の期限情報１３ｂを使用期限情報として印刷した期限ラベル１３を２枚印刷する。
【００３５】
図９は、ラベルを発行可能とする端末装置をラベルプリンタに登録する登録処理の一例を示すフローチャート、図１０Ａ、図１０Ｂ、図１０Ｃ、図１０Ｄは、登録操作画面の一例を示す説明図で、次に、端末装置３０でラベルを発行可能とする動作について説明する。
【００３６】
ラベルプリンタ１は、端末装置３０の設定に関する登録モードを呼び出すボタンが入力部２４に設けられる。ラベルプリンタ１の制御部１００は、端末装置３０の設定に関する登録モードの操作メニューが呼び出され、図９のＳＢ１で、端末装置３０の登録要求が選択されると、図１０Ａに示すように、登録したい端末装置３０の入力部３１の操作を促す操作画面２５ａ１を表示部２５に表示する。
【００３７】
制御部１００は、ステップＳＢ２で、端末装置３０から識別情報ＵＩＤを受信したか判断する。なお、制御部１００は、端末装置３０の設定に関する登録モードの操作メニューが呼び出され、端末装置３０の登録要求が選択された後、一定時間が経過すると、通常の待機状態に戻っても良い。
【００３８】
制御部１００は、端末装置３０の登録要求が選択された状態で、端末装置３０から識別情報ＵＩＤを受信すると、ラベルの印刷に必要な条件を選択する登録操作画面を表示部２５に表示する。ステップＳＢ３では、選択条件１として、図１０Ｂに示すように、予め登録されているラベルのレイアウトの中から、所望のレイアウトを選択するレイアウト選択画面２５ｂ１を表示部２５に表示する。
【００３９】
制御部１００は、レイアウト選択画面２５ｂでレイアウトが選択されると、ステップＳＢ４で、選択条件２として、図１０Ｃに示すように、ラベルの印刷枚数を選択する枚数選択画面２５ｃ１を表示部２５に表示する。
【００４０】
制御部１００は、枚数選択画面２５ｃで枚数が選択されると、ステップＳＢ５で、図１０Ｄに示すように、レイアウト選択画面２５ｂで選択されたレイアウト名、枚数選択画面２５ｃで選択された枚数を、識別情報ＵＩＤに対応付けて登録する登録画面２５ｄ１を表示部２５に表示する。
【００４１】
制御部１００は、登録画面２５ｄの内容を登録する所定の操作が入力部２４で行われると、端末装置３０の識別情報ＵＩＤと、レイアウト名及び枚数が対応付けられた登録情報Ｄ２を記憶部１０１に記憶する。
【００４２】
尚、端末装置をラベルプリンタに登録する登録処理を行う他の例として、先に所望のレイアウトを選択して、上述した選択条件１、選択条件２を設定した後に、登録モードを呼び出し、端末装置３０から識別情報ＵＩＤを受信することで、設定されている選択条件を識別情報ＵＩＤに対応付けて登録するようにしても良い。
【００４３】
また、登録モードの呼び出しは、入力部２４に設けられるボタンの操作に限らず、例えば、ラベルプリンタ１の制御部１００が、端末装置３０の入力部３１の長押し、複数回押し等の通常と異なる所定の操作を検出した場合、ラベルプリンタ１で登録モードが呼び出されるようにすること等が考えられる。この際、図示しない近接センサ等の検出手段により端末装置３０をラベルプリンタ１に近接させた状態を検出した状態でのみ、登録モードが呼び出されるようにすることで、表示部２５に表示された選択条件を確認しながら登録を行うことが出来るようにしても良い。
【００４４】
図１１は、ラベルを発行可能とした端末装置の登録内容を変更する登録内容変更処理の一例を示すフローチャート、図１２Ａ、図１２Ｂ、図１２Ｃ、図１２Ｄ、図１２Ｅ、図１２Ｆは、登録内容変更操作画面の一例を示す説明図で、次に、登録内容を変更する動作について説明する。
【００４５】
ラベルプリンタ１は、端末装置３０の設定に関する登録モードを呼び出すボタンが入力部２４に設けられる。ラベルプリンタ１の制御部１００は、端末装置３０の設定に関する登録モードの操作メニューが呼び出され、図１１のＳＣ１で、端末装置３０の登録内容の変更要求が選択されると、図１２Ａに示すように、登録内容を変更したい端末装置３０の入力部３１の操作を促す操作画面２５ａ２を表示部２５に表示する。
【００４６】
制御部１００は、ステップＳＣ２で、端末装置３０から識別情報ＵＩＤを受信したか判断する。なお、制御部１００は、端末装置３０の設定に関する登録モードの操作メニューが呼び出され、端末装置３０の登録内容の変更要求が選択された後、一定時間が経過すると、通常の待機状態に戻っても良い。
【００４７】
制御部１００は、端末装置３０の登録内容の変更要求が選択された状態で、端末装置３０から識別情報ＵＩＤを受信すると、ステップＳＣ３で、記憶部１０１に記憶された登録情報Ｄ２に基づき、図１２Ｂに示すように、該当する識別情報ＵＩＤに対応付けられた選択条件を示す設定画面２５ｂ２を表示部２５に表示する。なお、端末装置３０の登録内容の変更要求が選択された状態で、端末装置３０から受信した識別情報ＵＩＤが、登録情報Ｄ２に登録されていないと判断すると、上述した新規登録の処理を実行できるようにしても良い。
【００４８】
制御部１００は、設定画面２５ｂ２が表示された状態で、ステップＳＣ４で、選択条件を変更する操作が選択されると、ステップＳＣ５で、選択条件１として、図１２Ｃに示すように、予め登録されているラベルのレイアウトの中から、所望のレイアウトを選択するレイアウト選択画面２５ｃ２を表示部２５に表示する。
【００４９】
制御部１００は、レイアウト選択画面２５ｃ２で変更したレイアウトが選択されると、ステップＳＣ６で、選択条件２として、図１２Ｄに示すように、ラベルの印刷枚数を選択する枚数選択画面２５ｄ２を表示部２５に表示する。
【００５０】
制御部１００は、枚数選択画面２５ｄ２で変更した枚数が選択されると、ステップＳＣ７で、図１２Ｅに示すように、レイアウト選択画面２５ｃ２で変更されたレイアウト名、枚数選択画面２５ｄ２で変更された枚数を、識別情報ＵＩＤに対応付けて登録する登録画面２５ｅ２を表示部２５に表示する。
【００５１】
制御部１００は、登録画面２５ｅ２の内容を登録する所定の操作が入力部２４で行われると、端末装置３０の識別情報ＵＩＤと、レイアウト名及び枚数が対応付けられた登録情報Ｄ２を記憶部１０１に記憶する。
【００５２】
制御部１００は、設定画面２５ｂ２が表示された状態で、ステップＳＣ４で、端末装置の登録を削除する操作が選択されると、ステップＳＣ８で、図１２Ｆに示すように、識別情報ＵＩＤが登録されている端末装置３０について、登録内容の削除の有無を選択させる登録内容削除画面２５ｆ２を表示部２５に表示する。制御部１００は、登録内容削除画面２５ｆ２で登録内容の削除が選択されると、該当する識別情報ＵＩＤに対応した登録情報Ｄ２を削除する。また、制御部１００は、登録内容削除画面２５ｆ２で登録内容を削除しないと選択されると、該当する識別情報ＵＩＤに対応した登録情報Ｄ２を維持して処理を終了する。
【００５３】
制御部１００は、設定画面２５ｂ２が表示された状態で、ステップＳＣ４で、登録内容の変更処理を終了する操作が選択されると、該当する識別情報ＵＩＤに対応した登録情報Ｄ２を維持して処理を終了する。
【００５４】
図１３は、本実施の形態の端末装置の他の例を示す構成図である。図１３に示す端末装置３０Ｂは、所謂スマートフォン等の情報処理装置で構成される。端末装置３０Ｂは、自機に割り当てられた識別情報ＵＩＤを出力するアプリケーションがインストールされ、当該アプリケーションが実行されると、表示部３１ｂに識別情報ＵＩＤを出力する操作を受けるボタン３２ｂが表示される。端末装置３０Ｂは、ボタン３２ｂにタッチされると、識別情報ＵＩＤを出力する。
【符号の説明】
【００５５】
１・・・ラベルプリンタ、１００・・・制御部、１０１・・・記憶部、２０・・・印刷ヘッド（印刷部）、２１・・・プラテンローラ、２４・・・入力部、２５・・・表示部、２６・・・通信部、２７・・・時計部
【図１】
2020062754.tif 000003
【図２】
2020062754.tif 000004
【図３】
2020062754.tif 000005
【図４】
2020062754.tif 000006
【図５】
2020062754.tif 000007
【図６Ａ】
2020062754.tif 000008
【図６Ｂ】
2020062754.tif 000009
【図７】
2020062754.tif 000010
【図８】
2020062754.tif 000011
【図９】
2020062754.tif 000012
【図１０Ａ】
2020062754.tif 000013
【図１０Ｂ】
2020062754.tif 000014
【図１０Ｃ】
2020062754.tif 000015
【図１０Ｄ】
2020062754.tif 000016
【図１１】
2020062754.tif 000017
【図１２Ａ】
2020062754.tif 000018
【図１２Ｂ】
2020062754.tif 000019
【図１２Ｃ】
2020062754.tif 000020
【図１２Ｄ】
2020062754.tif 000021
【図１２Ｅ】
2020062754.tif 000022
【図１２Ｆ】
2020062754.tif 000023
【図１３】
2020062754.tif 000024